(57)【要約】【課題】　本発明は、プリント媒体用の改良された乾燥機構を有するインクジェットプリントシステムを提供することにある。【解決手段】　本発明のシステムは、複数のインク噴出ノズルを有するプリントヘッド装置１０２と、該プリントヘッド装置１０２の下流にあり、プリント媒体の近傍で空気を生成して放出するように構成された乾燥ステーション１０４と、前記プリントヘッド装置と前記乾燥ステーションとの間に取付けられ、前記乾燥ステーションが生成する空気のうちのある量をそらすよう構成されているデフレクタ４０２とを備えている。【選択図】　　　　図４
2004058676.tif 000002
【特許請求の範囲】
【請求項１】
　複数のインク噴出ノズルを有するプリントヘッド装置と、
　該プリントヘッド装置の下流にあり、プリント媒体の近傍で空気を生成して放出するように構成された乾燥ステーションと、
　前記プリントヘッド装置と前記乾燥ステーションとの間に取付けられ、前記乾燥ステーションが生成する空気のうちのある量をそらすよう構成されているデフレクタと、
を備えているシステム。
【請求項２】
　前記デフレクタは、前記乾燥ステーションの外側に中間乾燥ステーションを作成するよう構成されており、該中間乾燥ステーションは、前記プリント媒体の少なくとも一部が前記乾燥ステーションを通過する前に、前記一部を通過するよう配置されている、請求項１に記載のシステム。
【請求項３】
　前記中間乾燥ステーションは、前記乾燥ステーションに最も近い前記デフレクタの側に配置されている、請求項２に記載のシステム。
【請求項４】
　前記デフレクタは金属材料を含んでいる、請求項１〜３のいずれかに記載のシステム。
【請求項５】
　前記デフレクタは、空気を集めるのを促進すべく構成されている側壁装置を備えている、請求項１〜４のいずれかに記載のシステム。
【請求項６】
　前記デフレクタは、空気を集めるのを促進すべく構成されている側壁装置を備え、該側壁のうちの１つまたはそれよりも多くは略平らである、請求項１に記載のシステム。
【請求項７】
　インクジェットプリンタ内の主乾燥ステーションから空気を放出することと、
　前記インクジェットプリンタの前記主乾燥ステーションとプリントヘッド装置との間に置いたデフレクタを用いて、前記放出した空気のうちの少なくともいくらかを集めることによって、中間乾燥ステーションを作成することと、
　濡れたプリント媒体を前記中間乾燥ステーション内で移動させることと、
　前記プリント媒体を前記主乾燥ステーション内で移動させることと、
を含む方法。
【請求項８】
　前記放出する動作は、前記主乾燥ステーションから加熱した空気を放出することによって行われる、請求項７に記載の方法。
【請求項９】
　前記作成する動作は、側壁装置を備えたデフレクタを間に置くことによって行われ、前記側壁装置は、その下を通るプリント媒体に関連して間隙を画定する部分を含み、該間隙は約１０ミリメートル以下である、請求項７に記載の方法。
【請求項１０】
　前記作成する動作は、側壁装置を備えたデフレクタを間に置くことによって行われ、前記側壁装置は、その下を通るプリント媒体に関して間隙を画定する部分を含み、該間隙は約１と２分の１ミリメートルから２ミリメートルである、請求項７に記載の方法。
【発明の詳細な説明】
【技術分野】
【０００１】
　本発明は、インクジェットプリントシステムに関し、特に、プリント媒体用の改良された乾燥機構を有するインクジェットプリントシステムに関する。
【背景技術】
【０００２】
　インクジェットプリントシステムは、通常、紙等のプリント媒体上にプリントヘッドノズルからインクを付着させることによって動作するものである。そして、濡れたプリント媒体は、通常、乾燥ステーションまで移動させられる。乾燥ステーションは１つまたはそれよりも多くのヒータを備えており、ヒータはインクを加熱するように配置されている。したがって、ヒータは、プリント媒体上でインクが乾燥するのを促進している。ヒータは通常、多数の電球（bulbs）から成っており、これら電球は乾燥熱を生成し、この熱を利用してページ上のインクを乾燥している。乾燥ステーション内での熱循環を促進するために、通常ファンが用いられ、乾燥ステーション内でその熱が確実に移動するまたはその他の方法で循環するようにしている。
【０００３】
　例として、例示的なインクジェットプリントシステムを全体として１００で概略的に示す図１を考察されたい。システム１００は通常、プリントヘッド装置（assembly）１０２を備えている。プリントヘッド装置１０２は、１枚の紙１０３等のプリント媒体にインクを選択的に付着させるため、多数のさまざまなノズルを備えていてもよい。紙は、装置が存在する領域内へと前進し、インクを付着され、全体として１０４で示された乾燥ステーション内へと移動するようになっている。乾燥ステーション１０４は通常、ヒータ装置１０６を備えている。ヒータ装置１０６は、１つまたはそれよりも多くの熱源と、加熱した空気を紙のほうに向けてインク乾燥プロセスを促進するファン１０８とを備えている。
【０００４】
　システム１００等のシステムが遭遇する可能性のある問題の１つは、乾燥プロセスを促進するために循環する空気が、矢印で示すように、プリントヘッド装置が占める領域内へと好ましくないことに移動してしまうということである。これが起こると、ノズルから吐出されているインクが、その空気によって分散して供給され、エアロゾル状態になる可能性がある。また、これが起こると、普通なら、デポジットするインクを保持することを意図しないプリント媒体の部分上に、インクがデポジットされてしまう可能性がある。したがって、プリント品質が好ましくないことに低下してしまう。さらに、この好ましくない空気循環はまた、プリントヘッド装置の性能に悪影響を及ぼすという問題を生じる可能性もある。具体的には、「ＴＩＪペン」とも呼ばれるプリントヘッド装置は、動作をその範囲内で行うことが望ましい温度範囲を有している。プリントヘッド装置が、この温度範囲外（例えばこれよりも高温等）で動作すると、プリントヘッド装置全体の性能および寿命が好ましくないことに低下して短くなる可能性がある。
【発明の開示】
【発明が解決しようとする課題】
【０００５】
　本発明の目的は、プリント媒体用の改良された乾燥機構を有するインクジェットプリントシステムを提供することにある。
【課題を解決するための手段】
【０００６】
　一実施形態によれば、システムは、複数のインク噴出ノズルを有するプリントヘッド装置と、プリントヘッド装置の下流にあり、プリント媒体の近傍で空気を生成して放出するように構成された乾燥ステーションとを備えている。プリントヘッド装置と乾燥ステーションとの間にはデフレクタが取付けられており、このデフレクタは、乾燥ステーションが生成する空気のうちのある量をそらす（偏向させる）ように構成されている。
【０００７】
　他の実施形態によれば、方法は、インクジェットプリンタ内の主（一次、primary）乾燥ステーションから空気を放出することと、インクジェットプリンタの主乾燥ステーションとプリントヘッド装置との間に置いたデフレクタを用いて、放出した空気のうちの少なくともいくらかを集めることによって、中間乾燥ステーションを作成することと、濡れたプリント媒体を中間乾燥ステーション内で移動させることと、プリント媒体を主乾燥ステーション内で移動させることとを含んでいる。
【発明の効果】
【０００８】
　（結論）
　さまざまなインクジェットプリントシステムを説明した。システムは、プリンタのプリントヘッド装置とプリンタの乾燥ステーションとの間に取付けられたデフレクタを備えている。デフレクタは、乾燥ステーションにおいて生成される空気のうちの所望量をそらして、プリントヘッド装置に達しないようにする機能を有している。したがって、デフレクタは、プリンタのうちのプリントヘッド装置が占める領域内にこれまで移動してきた空気が生成したインクのエアロゾルを減らすのに役立つことになる。さらに、空気をそらすことによって、主乾燥ステーションの外側に、中間乾燥領域すなわちステーションが作成されることになる。中間乾燥ステーションでは、主乾燥ステーションから集めた空気を用いて予備的にインクの乾燥を開始することで、インク乾燥プロセスを促進することができる。さらに、空気が加熱される場合、これまでプリントヘッドの性能に悪影響を及ぼしていた加熱した空気のうちの所望量をそらすことによって、プリントヘッドの性能および寿命の領域において、利点が実現される。
【発明を実施するための最良の形態】
【０００９】
（概観）
　さまざまな実施形態によれば、インクジェットプリントシステムには、プリンタのプリントヘッド装置とプリンタの乾燥ステーションとの間に取付けられたデフレクタが設けられている。デフレクタは、乾燥ステーションにおいて生成される空気、例えば加熱した空気のうちの所望量をそらして、プリントヘッド装置に達しないようにする機能を有している。したがって、デフレクタは、プリンタのうちのプリントヘッド装置が占める領域内に移動して(migrate)くる空気によって生成されるインクのエアロゾルを減らすのに役立っている。さらに、加熱した空気をそらすことによって、乾燥ステーションの外側には、中間乾燥領域すなわちステーションが作成されることになる。濡れたプリント媒体は、乾燥ステーションに向かう途中で、中間乾燥ステーションを通過するようになっている。中間乾燥ステーションによって、インク乾燥プロセスを促進することが可能となる。さらに、これまでプリントヘッドの性能に悪影響を及ぼしていた空気のうちの所望量をそらすことによって、プリントヘッドの性能および寿命の領域において、利点が実現されることになる。当業者であれば、他の利点は明白となろう。
【００１０】
（例示的インクジェットプリンタ）
　図２は、説明する実施形態を実施するのに利用することができる例示的インクジェットプリンタ２００を示している。インクジェットプリンタ２００は、モノクロ（black-and-white）プリントおよびカラープリントが可能であってもよい。説明する実施形態は、ファクシミリ、写真複写機、スキャナ等、他のインクジェットプリント装置に関連して実施してもよい、ということが理解されるべきである。
【００１１】
　図３は、もう少し詳細にプリンタ２００のさまざまな構成要素を示している。プリンタ２００は、媒体ハンドリングや、プリント媒体（例えば、紙、透明シート等）の上方へプリントヘッドを直線的に位置決めするキャリッジ移動等、さまざまなプリンタ動作を制御する、１つまたはそれよりも多くのプロセッサ３０２を備えていてもよい。実施形態によっては、複数のプリントヘッドが固定位置に置かれ、所望のインク到達範囲を得るよう配列されていてもよい。通常、工業用のプリントの場合も民生用のプリントの場合も、このようになる可能性がある。
【００１２】
　プリンタ２００は、電気的に消去・プログラム可能なリードオンリメモリ（ＥＥＰＲＯＭ）３０４、ＲＯＭ３０６（消去不可能）、およびランダムアクセスメモリ（ＲＡＭ）３０８を有していてもよい。プリンタ２００は、ＥＥＰＲＯＭ３０４およびＲＯＭ３０６を有しているように示されているが、個々のプリンタは、このようなメモリ構成要素のうちの１つのみを含んでいてもよい。さらに、図示していないが、プリンタ２００内のさまざまな構成要素同士は、通常、システムバスで接続されている。
【００１３】
　また、プリンタ２００は、ＲＯＭ３０６上に記憶された永久メモリモジュールとして実施されるファームウェア構成要素３１０を有していてもよい。ファームウェア３１０は、ソフトウェアと同様にプログラミングされて試験され、プリンタ２００と共に配布されるようになっている。ファームウェア３１０は、プリンタ２００内でのハードウェアの各動作を連係させるように実施してもよく、そのような動作を行うのに用いられるプログラミング構成概念（constructs）を含んでいる。
【００１４】
　プロセッサ３０２は、さまざまな命令を処理し、プリンタ２００の動作を制御して他の電子および計算デバイスと通信するものである。メモリ構成要素であるＥＥＰＲＯＭ３０４、ＲＯＭ３０６、およびＲＡＭ３０８は、構成情報、フォント、テンプレート、プリントしているデータ、およびメニュー構造情報等、さまざまな情報および／またはデータを記憶している。図示していないが、個々のプリンタはまた、ＥＥＰＲＯＭ３０４およびＲＯＭ３０６の代わりに、またはそれに付け加えて、フラッシュメモリデバイスも備えていてもよい。
【００１５】
　また、プリンタ２００は、ディスクドライブ３１２、ネットワークインターフェース３１４、およびシリアル／パラレルインターフェース３１６も備えていてもよい。ディスクドライブ３１２は、プリントしているデータ、その他プリンタ２００が保持する情報のさらなる記憶場所を提供している。プリンタ２００が、ＲＡＭ３０８とディスクドライブ３１２の両方を有するように示しているが、個々のプリンタは、そのプリンタの記憶の必要次第で、ＲＡＭ３０８とディスクドライブ３１２のどちらかを備えていてもよい。例えば、安価なプリンタであれば、記憶容量の小さいＲＡＭ３０８を備え、ディスクドライブ３１２を備えないようにし、それによってプリンタの製造コストを削減してもよい。
【００１６】
　ネットワークインターフェース３１４は、プリンタ２００とデータ通信ネットワークとの接続を行うものである。ネットワークインターフェース３１４によって、共通のデータ通信ネットワークに結合した各デバイスが、プリントジョブ、メニューデータ、およびその他の情報を、そのネットワークを介してプリンタ２００に送ることができるようになる。同様に、シリアル／パラレルインターフェース３１６によって、プリンタ２００と、別の電子または計算デバイスとの間に、直接データ通信路が設けられている。プリンタ２００は、ネットワークインターフェース３１４およびシリアル／パラレルインターフェース３１６を有するように示されているが、個々のプリンタは、１つのインターフェース構成要素のみを備えていてもよい。
【００１７】
　また、プリンタ２００は、ユーザインターフェースおよびメニューブラウザ３１８と、ディスプレイパネル３２０とを備えていてもよい。ユーザインターフェースおよびメニューブラウザ３１８によって、プリンタ２００のユーザは、プリンタのメニュー構造を移動させることができる。ユーザインターフェース３１８は、インジケータ、または一連のボタン、スイッチ、またはプリンタのユーザが操作する選択可能なその他の制御装置であってもよい。ディスプレイパネル３２０は、プリンタ２００のステータスおよびメニュー構造を通じて現在ユーザが利用できるオプションの情報を提供するグラフィックディスプレイである。
【００１８】
　プリンタ２００はまた、プリントジョブに対応するプリントデータに従って、紙、プラスチック、布地等のプリント媒体にインク（例えば、液体インク）を選択的に付着するようになっている機構を含む、プリントユニット３２４も含む。
【００１９】
　プリントユニット３２４は、プリントキャリッジ３４０、１つまたはそれよりも多くのプリントヘッド３４２、および１つまたはそれよりも多くのプリントノズル３４４を備えていてもよい。整備ステーション３５２は、インクノズルからインクを取り除いて詰まらないようにするインクつぼ３５４を備えていてもよい。工業用または民生用の用途によっては、プリントヘッドが区画（stall）内に固定されていることもある。
【００２０】
　プリントヘッド３４２は通常、多数のノズル３４４を有している。ノズル３４４は、プロセッサ３０２から受け取るデータに従って、個々に発射を行ってインク滴をプリント媒体上にデポジットするものである。例として、プリントヘッドは、何百個のノズルを有しているかもしれない。「発射」とは、個々のノズルに発射パルス、すなわち駆動電圧を印加して、そのノズルにインク滴またはインク粒を射出させる動作のことをいう。この発射は、プロセッサ３０２によって制御することが可能である。
【００２１】
　本明細書の読み手がインクジェットプリントシステムに関するさらなる背景情報を必要とする場合には、本願の対応米国出願の譲受人に譲渡されている以下の特許、すなわち（１）インクジェットの動作については、米国特許番号第６，３８６，６６７号、第６，３９０，６００号、６，３７８，９８５号、および６，１５５，６８０号、（２）インクジェットヒータ／ブラウザシステムについては、米国特許番号第６，０５９，４０６号、ならびに（３）インクジェットノズル装置、すなわちペンについては、米国特許番号第６，３１２，１１７号、第６，２７３，５６２号、および第５，８７０，１２５号を参照されたい。
【００２２】
（例示的実施形態）
　図４は、一実施形態による例示的インクジェットプリントシステムを、全体として４００で示している。図１のシステムと同様の番号を利用して同様の要素を示し、相違は４００番台の（"4XX" series）番号を用いることによって示している。
【００２３】
システム４００はプリントヘッド装置１０２を備えている。プリントヘッド装置１０２は、１枚の紙１０３等のプリント媒体にインクを選択的に付着させるために、多数のさまざまなノズルを有することができる。紙は、プリントヘッド装置が存在する領域内へと前進し、インクが付着され、次に、全体として１０４で示す乾燥ステーションに向かって、プリントヘッド装置の下流に移動させられる。乾燥ステーション１０４は通常、ヒータ装置１０６を備えている。ヒータ装置１０６は、１つまたはそれよりも多くの熱源と、加熱した空気を紙のほうに向けてインク乾燥プロセスを促進させる１つまたはそれよりも多くのファン１０８とを備えている。
【００２４】
　一実施形態によれば、デフレクタ４０２が設けられ、プリントヘッド装置１０２と乾燥ステーション１０４との間に配置、すなわち取付けられている。図示して説明する実施形態において、デフレクタ４０２は、乾燥ステーションから放出される空気をそらすように機能し、プリントヘッド装置が配置されている領域に達する空気の量を減らすものである。これが望ましいのは、多数のさまざまな理由による。
【００２５】
　第一に、乾燥ステーションから放出される空気のうちのある量をそらすことによって、プリント媒体の近傍で以前に発生していたエアロゾルの影響が少なくなる。その結果、プリントジョブの品質が向上する。第二に、そのような空気を加熱すると、プリントヘッド装置が占める領域に入ってくる加熱した空気の量を減らすことによって、プリントヘッド装置の寿命および性能が高まることになる。具体的には、通常のインクジェットプリンタ内で、プリントヘッド装置の温度が監視されることにある。そのプリントヘッド装置が好ましくないことに高温で動作していると判断される場合には、より望ましい温度に戻るまでそのプリントヘッド装置を一時的にディセーブル（ｄｉｓａｂｌｅ）にしてもよい。高温にさらされる時間が長くなると、徐々にプリントヘッド装置、すなわちペンの寿命が短くなる可能性がある。プリントヘッド装置をディセーブルにすることによって、控えめに言っても、ユーザのプリント作業を中断してしまう可能性がある。したがって、ユーザに不便をかけないようにしながら、同時に、プリントヘッド装置が所望の温度範囲内で確実に動作するようにすることが望ましい。デフレクタ４０２をプリントヘッド装置１０２と乾燥ステーション１０４との間に配置することによって、加熱されていてもいなくても、乾燥ステーションから発する空気の影響は、緩和されることになる。
【００２６】
　乾燥ステーションから発する加熱した空気をそらすことの他の利点として、加熱した空気が、乾燥ステーションに最も近いデフレクタの側の領域４５０内に集まるということである。それから、領域４５０は、乾燥ステーション１０４の上流にある中間乾燥ステーションの役割を果たすことができる。すなわち、濡れたプリント媒体は、プリントヘッド装置１０２が占める領域から移動して領域４５０内に入ると、その領域内の加熱した空気は、乾燥プロセスを促進し始めることができる。したがって、プリント媒体が前進して乾燥ステーションが占める領域に入ると、ファン１０８およびヒータ装置１０６の動作によって乾燥プロセスを早めることができる。
【００２７】
　デフレクタは、いかなる好適なデフレクタ構成およびいかなる好適な材料を用いて形成してもよい。一実施形態によれば、アルミニウム等の金属材料を用いて好適なデフレクタを形成してもよい。プラスチック等、他の材料もまた同様に用いてもよい。
【００２８】
　図５は、デフレクタ４０２の拡大図を示している。本実施形態において、デフレクタ４０２は、加熱した空気を領域４５０内に集めることを促進すべく構成されている側壁装置（側壁を組み立てたもの）を備えている。この特定の例において、側壁装置は、第１の側壁５００、第２の側壁５０２、および第３の側壁５０４を備えている。図示して説明する実施形態において、側壁５００のうちの最下部によって、その最下部とプリント媒体の間に狭い間隙が画定されている。間隙の寸法はさまざまであってもよいが、プリント媒体がその経路において妨げられることなく側壁５００の下を確実に通ることができるよう、間隙の寸法を選択することが有利である。一実施形態において、間隙の好適な寸法は約１０ミリメートル以下であってもよい。他の実施形態において、間隙の寸法は、約１と２分の１ミリメートルから１０ミリメートルの範囲であってもよい。さらに他のより望ましい実施形態において、間隙の寸法は、約１と２分の１ミリメートルから２ミリメートルの範囲であってもよい。
【００２９】
　本例において、側壁５００は、デフレクタの下を通るプリント媒体が画定する平面Ｐに対して略斜めになるように向けられている。側壁５０２は、側壁５００とつながっており、平面Ｐに対して略垂直となるように向けられている。側壁５０４は、側壁５０２とつながっており、平面Ｐに対して略平行となるように向けられている。側壁５０４は側壁５０２と一緒になって、プリントヘッド装置１０２から遠ざかり、乾燥ステーション１０４へ向かう方向に延びる棚を形成している。この棚は、加熱した空気が上昇し渦を巻くときにその空気と相互作用にて、加熱した空気を領域４５０内に集めるようにする、という機能を有している。その結果、濡れたプリント媒体１０３が領域４５０を通って移動すると、集まった加熱空気によって、インク乾燥プロセスを開始することができる。
【００３０】
　実施形態によっては、デフレクタ４０２の幅（図５があるページの平面と垂直な方向）はインクジェットプリンタが処理することになっているプリント媒体の最大幅と同じ、またはそれに匹敵する寸法であってもよい。このように、デフレクタは、紙が領域４５０を通るときに紙の全幅に沿って延びていてもよい。このようにすることによって、プリント媒体上のインクの一様な乾燥を促進することができる。
【００３１】
　実施形態によっては、好ましくは、デフレクタがインクジェットプリンタ内に永久的に動かないように固定されていてもよい。これにより、故障の可能性を高くするかもしれない可動部品を減らすことができる。インクジェットプリンタ内でデフレクタを取付けまたはその他の方法で固定するのに、いかなる好適な機構を用いてもよい。例えば、デフレクタは、いかなる好適な固定機構で螺着、またはその他の方法で永久的に機械的に所定位置に固定してもよい。
【００３２】
（例示的方法）
　図６は、一実施形態による方法における各ステップを説明するフロー図である。この方法は、いかなる好適なインクジェットプリント装置に関連して実施してもよい。そのようなインクジェットプリント装置の例は、上述している。
【００３３】
　ステップ６００では、主乾燥ステーションから空気を放出している。図示して説明する実施形態において、乾燥ステーションから放出される空気には、濡れたプリント媒体を乾燥するのに主乾燥ステーションを利用して残った加熱した空気が含まれている。しかし、そのような空気は、加熱する必要はないということを理解しなければならない。例示的主乾燥ステーション１０４は、図４に関連して示されている。ステップ６０２では、放出した空気のうちの少なくともいくらかを集めることによって、中間乾燥ステーションを作成している。空気は、乾燥ステーションとプリントヘッド装置との間で空気が通常とろうとする経路にデフレクタを置くことによって、集めることができる。デフレクタを間に置く結果として、プリントヘッド装置が占める領域内にこれまで（すなわち、デフレクタがない状態では）移動してきた空気のうちの少なくとも一部、もしかすると大部分が、中間乾燥ステーションを画定するような方法でそれることになる。
【００３４】
　空気を集めるのに、いかなる好適なデフレクタ構造を利用してもよい。例えば、デフレクタは、永久的に固定した、略平らな側壁として設けられていてもよい。その代わりに、またはそれに付け加えて、側壁装置を設けて空気収集を促進するようにしてもよい。図５の例においては、それぞれ向きが異なる３つの側壁を備えた側壁装置を利用している。もちろん、特許を請求する主題の精神および範囲から逸脱することなく、他の構成を利用してもよい。
【００３５】
　ステップ６０４では、濡れたプリント媒体を中間乾燥ステーション内で移動させている。これによって、プリント媒体上のインクの乾燥が予備的に開始される。この乾燥動作は、中間乾燥ステーション内の空気の作用（action）、および、加熱する場合には、中間乾燥ステーション内の加熱した空気の作用のうちの１つまたはそれよりも多くによって行うことができる。ステップ６０６では、プリント媒体を主乾燥ステーション内で移動させている。これにより、インクジェットプリンタの乾燥プロセスを続行し、最終的には終了する。
【００３６】
　本開示を、構造的特徴および／または方法の各段階に関連して具体的な文言で説明したが、併記の特許請求の範囲は、説明した特定の特徴または段階に限定されるものではない、ということが理解されなければならない。むしろ、このような特定の特徴および段階は、本開示を実施する例示的形式である。
【図面の簡単な説明】
【００３７】
【図１】インクジェットプリントシステムを示す図である。
【図２】１つまたはそれよりも多くの実施形態を実施するのに利用することができる例示的インクジェットプリンタを示す図である。
【図３】インクジェットプリンタのさまざまな構成要素を示すブロック図である。
【図４】一実施形態による例示的インクジェットプリンタを示す図である。
【図５】一実施形態による例示的デフレクタを示す図である。
【図６】一実施形態による方法における各ステップを説明するフロー図である。
【符号の説明】
【００３８】
　１０２　プリントヘッド装置
　１０３　プリント媒体
　１０４　乾燥ステーション
　１０６　ヒータ装置
　１０８　ファン
　４００　インクジェットプリントシステム
　４０２　デフレクタ
　４５０　中間乾燥ステーション
　５００〜５０４　側壁
【図１】
2004058676.tif 000003
【図２】
2004058676.tif 000004
【図３】
2004058676.tif 000005
【図４】
2004058676.tif 000006
【図５】
2004058676.tif 000007
【図６】
2004058676.tif 000008